(57)【要約】  本発明に係る表示装置の駆動方法は、複数の走査信号線を線順次に選択する走査線駆動回路と、電流が流れる出力回路が設けられ、当該出力回路および複数のデータ信号線を介して、選択された走査信号線上の画素にデータ信号を順次供給する信号線駆動回路とを備える装置において、入力された水平同期信号および垂直同期信号に基づいて、当該水平同期信号の周期よりも短い周期の水平同期制御信号と垂直同期制御信号を出力する同期信号出力工程と、垂直同期制御信号により規定される１垂直期間内において複数の走査信号線上における全ての画素にデータ信号を供給する走査工程と、１垂直期間内において、走査工程が終了した後、出力回路の能力を低下させる能力制御工程とを含んでいる。
2011145360.tif 000002
【特許請求の範囲】
【請求項１】
マトリクス状に配置された画素からなる画面に表示を行う表示装置であって、
複数の走査信号線を線順次に選択する走査線駆動回路と、
電流が流れる出力回路が設けられ、選択された走査信号線上の画素に、当該出力回路および複数のデータ信号線を介して、データ信号を順次供給する信号線駆動回路と、
入力された水平同期信号に基づいて、当該水平同期信号の周期よりも短い周期の水平同期制御信号を出力し、かつ、入力された垂直同期信号に基づいて垂直同期制御信号を出力する同期信号出力手段と、
上記垂直同期制御信号により規定される１垂直期間内において、上記信号線駆動回路が、上記水平同期制御信号に従って、上記複数の走査信号線上における全ての画素にデータ信号を供給した後、上記出力回路の能力を低下させる能力制御手段とを備えていることを特徴とする表示装置。
【請求項２】
上記能力制御手段は、上記１垂直期間において、上記信号線駆動回路が、上記垂直同期制御信号に従って、上記複数の走査信号線上における全ての画素にデータ信号を供給した後、上記出力回路を休止させること
を特徴とする請求項１に記載の表示装置。
【請求項３】
上記水平同期制御信号の周期は、上記水平同期信号の周期の整数分の１である
ことを特徴とする請求項１または２に記載の表示装置。
【請求項４】
入力された映像信号を記録する記録手段をさらに備え、
上記記録手段は、上記水平同期制御信号に従って、記録した映像信号を上記信号線駆動回路に出力する
ことを特徴とする請求項１から３のいずれか１項に記載の表示装置。
【請求項５】
クロック信号を生成する発振回路と、
上記クロック信号に基づいて、上記水平同期信号および上記垂直同期信号を生成し、上記同期信号出力手段に出力するカウンタとをさらに備えている
ことを特徴とする請求項４に記載の表示装置。
【請求項６】
上記１垂直期間毎に上記複数のデータ信号線の極性を反転する極性反転手段をさらに備える
ことを特徴とする請求項１から５のいずれか１項に記載の表示装置。
【請求項７】
上記極性反転手段は、互いに隣り合った上記データ信号線の極性を逆極性にする機能をさらに有している
ことを特徴とする請求項６に記載の表示装置。
【請求項８】
上記画面へのタッチ入力を検出するタッチ入力検出手段と、
上記タッチ入力検出手段による検出動作を、上記１垂直期間において上記出力回路の能力が低下している間に行わせる検出制御手段とをさらに備える
ことを特徴とする請求項１から７のいずれか１項に記載の表示装置。
【請求項９】
上記タッチ入力検出手段は、静電容量方式タッチパネルまたは電磁誘導方式タッチパネルを備えていることを特徴とする請求項８に記載の表示装置。
【請求項１０】
請求項１から７のいずれか１項に記載の表示装置と、
上記画面へのタッチ入力を検出するタッチ入力検出装置と、
上記タッチ入力検出装置による検出動作を、上記１垂直期間において上記出力回路の能力が低下している間に行わせる検出制御手段とを備える
ことを特徴とする表示システム。
【請求項１１】
複数の走査信号線を線順次に選択する走査線駆動回路と、
電流が流れる出力回路が設けられ、選択された走査信号線上の画素に、当該出力回路および複数のデータ信号線を介してデータ信号を順次供給する信号線駆動回路とを備える表示装置の駆動方法であって、
入力された水平同期信号に基づいて、当該水平同期信号の周期よりも短い周期の水平同期制御信号を出力し、かつ、入力された垂直同期信号に基づいて垂直同期制御信号を出力する同期信号出力工程と、
上記垂直同期制御信号により規定される１垂直期間内において、上記信号線駆動回路が、上記水平同期制御信号に従って、上記複数の走査信号線上における全ての画素にデータ信号を供給する走査工程と、
上記１垂直期間内において、上記走査工程が終了した後、上記出力回路の能力を低下させる能力制御工程とを含む表示装置の駆動方法。
【発明の詳細な説明】
【技術分野】
【０００１】
本発明は、消費電力を低減できる表示装置およびその駆動方法、ならびに表示システムに関する。
【背景技術】
【０００２】
近年、液晶表示装置に代表される薄型、軽量、および低消費電力の表示装置が盛んに活用されている。こうした表示装置は、例えば携帯電話、スマートフォン、またはラップトップ型パーソナルコンピュータへの搭載が顕著である。また、今後はより薄型の表示装置である電子ペーパーの開発および普及も急速に進むことが期待されている。このような状況の中、現在、各種の表示装置において消費電力を低下させることが共通の課題となっている。【０００３】
特許文献１には、画面を１回走査する走査期間よりも長い非走査期間であって、全走査信号線を非走査状態とする休止期間を設けることによって、低消費電力を実現する表示装置の駆動方法が開示されている。
【先行技術文献】
【特許文献】
【０００４】
【特許文献１】日本国公開特許公報「特開２００１−３１２２５３号公報（２００１年１１月９日公開）」
【発明の概要】
【発明が解決しようとする課題】
【０００５】
しかしながら、特許文献１に記載の技術においては、以下のような問題がある。【０００６】
特許文献１の技術においては、走査期間よりも長い非走査期間すなわち休止期間を設けることによって、低消費電力を実現する。この走査期間と非走査期間とを合わせて１垂直期間としているため、当該１垂直期間は従来の１垂直期間よりも長く、単位時間あたりに画面を書き換える回数が少なくなる。したがって、各画素の駆動周波数（リフレッシュレート）が低くなる。リフレッシュレートが低くなると、表示パネルの特性によっては、画面上におけるフリッカ（ちらつき）を生じ易くなる。【０００７】
また、リフレッシュレートが低くなることは、１秒間に表示できる画像枚数が減ることと同義であるため、動画を滑らかに表示することができない。通常、リフレッシュレート＝６０Ｈｚに設定して、１秒間に６０枚の画像を書き換えている。ここで特許文献１に記載の技術を使用して、走査期間を1フレーム、休止期間を２フレームとすると、リフレッシュレートは上記通常の場合の３分の１の２０Ｈｚとなる。つまり１秒間に２０枚の画像しか書き換えられないため、コマ落ちした動画表示となってしまう。このため、特許文献１に記載の技術においては、特に動画を表示することは困難である。【０００８】
本発明は、前記の問題に鑑みてなされたものであり、その目的は、フリッカを発生させることなく動画を表示でき、なおかつ消費電力を低減できる表示装置の駆動方法、ならびに液晶表示装置を提供することにある。
【課題を解決するための手段】
【０００９】
本発明に係る表示装置は、上記課題を解決するために、マトリクス状に配置された画素からなる画面に表示を行う表示装置であって、複数の走査信号線を線順次に選択する走査線駆動回路と、電流が流れる出力回路が設けられ、選択された走査信号線上の画素に、当該出力回路および複数のデータ信号線を介して、データ信号を順次供給する信号線駆動回路と、入力された水平同期信号に基づいて、当該水平同期信号の周期よりも短い周期の水平同期制御信号を出力し、かつ、入力された垂直同期信号に基づいて垂直同期制御信号を出力する同期信号出力手段と、上記垂直同期制御信号により規定される１垂直期間内において、上記信号線駆動回路が、上記水平同期制御信号に従って、上記複数の走査信号線上における全ての画素にデータ信号を供給した後、上記出力回路の能力を低下させる能力制御手段とを備えていることを特徴としている。【００１０】
上記構成では、同期信号出力手段が、入力された水平同期信号および垂直同期信号に基づいて、水平同期制御信号および垂直同期制御信号を生成し出力する。水平同期制御信号および垂直同期制御信号は、走査線駆動回路と信号線駆動回路とを同期させる信号である。水平同期制御信号の周期は、入力された水平同期信号の周期よりも短い。このため、垂直同期制御信号により規定される１垂直期間よりも短い期間内に、走査線駆動回路が全ての走査信号線を選択し、信号線駆動回路は全ての走査信号線上の画素に対してデータ信号を供給することが可能になる。【００１１】
ここで、１垂直期間内において、全ての走査信号線上の画素に対してデータ信号を供給する期間を走査期間と称する。また１垂直期間内における走査期間経過後の期間を非走査期間と称する。【００１２】
上記構成によれば、非走査期間において、上記出力回路が低能力状態になるため、当該出力回路に流れる電流をカットできる。この結果、信号線駆動回路の平均消費電流が、従来の信号線駆動回路に比べて小さくなる。なお、上記出力回路には定常電流が流れていることが一般的であるため、上記出力回路に定常電流が流れている場合において、特に効果を発揮する。【００１３】
したがって本発明の表示装置は、１垂直期間の長さを従来よりも長くすることなく、当該１垂直期間内に十分な休止期間を設けることができる。このため、単位時間あたりの走査期間の頻度を従来よりも少なくすることがない。これによって、本発明の表示装置は、フリッカを発生させることなく動画を表示でき、なおかつ消費電力を低減できる効果を奏する。【００１４】
本発明に係る表示装置の駆動方法は、上記課題を解決するために、複数の走査信号線を線順次に選択する走査線駆動回路と、電流が流れる出力回路が設けられ、選択された走査信号線上の画素に、当該出力回路および複数のデータ信号線を介してデータ信号を順次供給する信号線駆動回路とを備える表示装置の駆動方法であって、入力された水平同期信号に基づいて、当該水平同期信号の周期よりも短い周期の水平同期制御信号を出力し、かつ、入力された垂直同期信号に基づいて垂直同期制御信号を出力する同期信号出力工程と、上記垂直同期制御信号により規定される１垂直期間内において、上記信号線駆動回路が、上記水平同期制御信号に従って、上記複数の走査信号線上における全ての画素にデータ信号を供給する走査工程と、上記１垂直期間内において、上記走査工程が終了した後、上記出力回路の能力を低下させる能力制御工程とを含むことを特徴としている。【００１５】
上記方法によれば、本発明に係る表示装置と同様の作用効果を奏する。【００１６】
本発明の他の目的、特徴、および優れた点は、以下に示す記載によって十分分かるであろう。また、本発明の利点は、添付図面を参照した次の説明で明白になるであろう。
【発明の効果】
【００１７】
本発明に係る表示装置は、フリッカを発生させることなく動画を表示でき、なおかつ消費電力を低減できるという効果を奏する。
【図面の簡単な説明】
【００１８】
【図１】本発明の第１の実施形態に係る表示装置の表示パネルを駆動する際の各種信号波形を示す図である。
【図２】第１の実施形態に係る表示装置の全体構成を示す図である。
【図３】（ａ）は、信号線駆動回路の内部構成、特に出力部分を示す図であり、（ｂ）は、ＡＭＰ＿Ｅｎａｂｌｅ信号の波形および信号線駆動回路の消費電流波形を示す図である。
【図４】従来技術と比較した第１の実施形態の効果を説明する図である。
【図５】本発明の第２の実施形態に係る表示装置の回路構成を示す図である。
【図６】本発明の第３の実施形態に係る表示装置の回路構成を示す図である。
【図７】第３の実施形態に係る表示装置のタッチパネルを駆動する際の各種信号波形を示す図である。
【図８】図６に示す回路構成の他の例を示す図である。
【図９】（ａ）は、従来の表示装置における信号線駆動回路の内部構成、特に出力部分を示す図であり、（ｂ）は、従来の表示装置における信号線駆動回路の消費電流波形を示す図である。
【図１０】従来の表示装置の表示装置を示す図である。
【発明を実施するための形態】
【００１９】
〔実施形態１〕
本発明の第１の実施形態について図１から図４に基づいて説明すると以下の通りである。
【００２０】
（１．表示装置１の構成）
まず、本実施形態に係る表示装置（液晶表示装置）１の構成について、図２を参照して説明する。図２は、表示装置１の全体構成を示す図である。この図に示すように、表示装置１は、表示パネル２、走査線駆動回路（ゲートドライバ）４、信号線駆動回路（ソースドライバ）６、共通電極駆動回路８、タイミングコントローラ（同期信号出力手段、極性反転手段）１０、電源生成回路１４、およびメモリ（記録手段）１６を備えている。タイミングコントローラ１０はさらに制御信号出力部（能力制御手段）１２を備えている。
【００２１】
表示パネル２は、マトリクス状に配置された複数の画素からなる画面と、前記画面を線順次に選択して走査するためのＮ本（Ｎは任意の整数）の走査信号線Ｇ（ゲートライン）と、選択されたラインに含まれる一行分の画素にデータ信号を供給するＭ本（Ｍは任意の整数）のデータ信号線Ｓ（ソースライン）とを備えている。走査信号線Ｇとデータ信号線Ｓとは互いに直交している。
【００２２】
図２に示すＧ（ｎ）はｎ本目（ｎは任意の整数）の走査信号線Ｇを表す。たとえばＧ（１）、Ｇ（２）およびＧ（３）は、それぞれ１本目、２本目および３本目の走査信号線Ｇを表す。一方、Ｓ（ｉ）はｉ本目（ｉは任意の整数）のデータ信号線Ｓを表す。たとえば、Ｓ（１）、Ｓ（２）およびＳ（３）は、それぞれ１本目、２本目および３本目のデータ信号線Ｓを表す。
【００２３】
なお、本実施形態は、説明の簡便のため等価回路を対象にした駆動を例にしており、表示パネル２内の各画素にはＴＦＴが設けられており、ＴＦＴのドレインは図示しない画素電極に接続されている。
【００２４】
走査線駆動回路４は、各走査信号線Ｇを画面の上から下に向かって線順次走査する。その際、各走査信号線Ｇに対して、画素に備えられ画素電極に接続されるスイッチング素子（ＴＦＴ）をオン状態にさせるための矩形波（走査信号）を出力する。これにより、画面内の１行分の画素を選択状態にする。
【００２５】
信号線駆動回路６には、メモリ１６から入力された映像信号（矢印Ｅ）に基づき、選択された１行分の各画素に出力すべき電圧の値を算出し、その値の電圧を各データ信号線Ｓに出力する。結果、選択された走査信号線Ｇ上にある各画素に対して画像データ（データ信号）を供給する。
【００２６】
表示装置１は、画面内の各画素に対して、更に共通電極（ＣＯＭ：不図示）を備えている。共通電極駆動回路８は、タイミングコントローラ１０から入力される極性反転信号（矢印Ｇ）に基づき、所定の共通電圧を共通電極に出力することで共通電極を駆動する。
【００２７】
タイミングコントローラ１０には、入力映像同期信号として、水平同期信号（Ｈｓｙｎｃ）、垂直同期信号（Ｖｓｙｎｃ）が入力される（矢印Ｂ）。タイミングコントローラ１０は、これらの入力映像同期信号に基づき、各回路が同期して動作するための基準となる映像同期信号として、水平同期制御信号（ＧＣＫなど）および垂直同期制御信号（ＧＳＰなど）を生成し、走査線駆動回路４、信号線駆動回路６、およびメモリ１６に出力する（矢印Ｃ、Ｄ、Ｆ）。
【００２８】
水平同期制御信号は、信号線駆動回路６において、メモリ１６から入力された映像信号を表示パネル２へ出力するタイミングを制御する出力タイミング信号として使用され、走査線駆動回路４において、表示パネル２へ走査信号を出力するタイミングを制御するタイミング信号として使用される。また、垂直同期制御信号は、走査線駆動回路４において、走査信号線Ｇの走査スタートのタイミングを制御するタイミング信号として使用される。
【００２９】
なお、本明細書において、特段の断りがない限り、「１垂直期間」とは、上記垂直同期制御信号により規定される期間を意味し、「１水平期間」とは、上記水平同期制御信号により規定される期間を意味する。
【００３０】
走査線駆動回路４は、タイミングコントローラ１０から受け取った水平同期制御信号および垂直同期制御信号に従って、表示パネル２の走査を開始し、各走査信号線Ｇを順次選択して走査信号を出力する。
【００３１】
信号線駆動回路６は、タイミングコントローラ１０から受け取った水平同期制御信号に従って、メモリ１６から入力された映像信号に基づく画像データ（データ信号）を、表示パネル２の各データ信号線Ｓに書き込む。
【００３２】
電源生成回路１４は、表示装置１内の各回路が動作するために必要な電圧であるＶｄｄ、Ｖｄｄ２、Ｖｃｃ、Ｖｇｈ、およびＶｇｌを生成する。そして、Ｖｃｃ、Ｖｇｈ、Ｖｇｌを走査線駆動回路４に出力し、ＶｄｄおよびＶｃｃを信号線駆動回路６に出力し、Ｖｃｃをタイミングコントローラ１０に出力し、Ｖｄｄ２を共通電極駆動回路８に出力する。
【００３３】
メモリ１６は、入力された入力映像信号（矢印Ａ）を記録する機能を有する。また、メモリ１６は、タイミングコントローラ１０から受け取った映像同期信号に従って、記録した入力映像信号に基づく映像信号（矢印Ｅ）を、信号線駆動回路６に出力する。
【００３４】
（２．従来の表示装置における消費電力）
従来の表示装置における消費電力の問題について図９を参照して説明する。図９の（ａ）は信号線駆動回路１０６の出力部分に関する内部構成を示す図であり、図９の（ｂ）は信号線駆動回路１０６の消費電流波形（Ｉ（Ｖｄｄ））を示す図である。一般的な解像度ＷＳＶＧＡ（１０２４ＲＧＢ×６００）を有する表示装置を例に挙げると、このような表示装置の信号線駆動回路１０６は１０２４×３（ＲＧＢ）＝３０７２個のアナログアンプ１１８を必要とする。各アナログアンプ１１８は、データ信号線Ｓにデータ信号を出力する素子である。個々のアナログアンプ１１８には、出力能力を確保するために、０．０１ｍＡ程度の常時定常電流が流れている。
【００３５】
したがって、３０７２個のアナログアンプ１１８では常時定常電流の総計は約３０．７ｍＡとなる。信号線駆動回路１０６に供給される電圧源（Ｖｄｄ）は通常１０Ｖ程度であるため、１０Ｖ×３０．７ｍＡ＝３０７ｍＷの電力を信号線駆動回路が消費する。結果、平均消費電流は図９の（ｂ）の矢印Ｐ２に示す値となり、この値は表示装置全体の消費電力に対して相当量を占めており、表示装置の低消費電力化を妨げる１つの大きな原因となっている。
【００３６】
（３．表示装置１における消費電力）
本実施形態の表示装置１は、前記した従来の表示装置に比べてより少ない平均電力で動作する。この点について以下に説明する。
【００３７】
＜アナログアンプ１８の動作＞
まず、信号線駆動回路６の備えるアナログアンプ（出力回路）１８について図３を参照して説明する。図３の（ａ）は、信号線駆動回路６の内部構成、特に出力部分を示す図であり、図３の（ｂ）は、ＡＭＰ＿Ｅｎａｂｌｅ信号の波形を示す図である。
【００３８】
図３の（ａ）に示すように、信号線駆動回路６において、各アナログアンプ１８はデータ信号線Ｓごとに設けられる。したがって、本実施形態に係る信号線駆動回路６はＭ個のアナログアンプ１８を備えている。すなわちアナログアンプ１８の数とデータ信号線Ｓの数とは互いに等しい。
【００３９】
信号線駆動回路６は、各アナログアンプ１８にＡＭＰ＿Ｅｎａｂｌｅ信号を入力するためのＡＭＰ＿Ｅｎａｂｌｅ信号線をさらに備えている。この信号線は、タイミングコントローラ１０の制御信号出力部１２に接続されている。また、信号線駆動回路６の内部においては、各アナログアンプ１８に並列に接続されている。
【００４０】
上述したように、Ｖｄｄは表示装置１内の電源生成回路１４から供給される電圧源であり、信号線駆動回路６を含め、各アナログアンプ１８もＶｄｄの供給を受けて動作する。
【００４１】
タイミングコントローラ１０の制御信号出力部１２は、各アナログアンプ１８の動作状態を規定する制御信号であるＡＭＰ＿Ｅｎａｂｌｅ信号を、予め定められたタイミングで信号線駆動回路６の各アナログアンプ１８に出力する。アナログアンプ１８は、ＡＭＰ＿Ｅｎａｂｌｅ信号がＨ値のときには動作し、Ｌ値のときには休止する。
【００４２】
後述にて詳細に説明するが、表示装置１では、表示パネル２を駆動する際、垂直同期制御信号に規定される１垂直期間が走査期間と非走査期間とに分割される。制御信号出力部１２は、図３の（ｂ）に示すように、走査期間においてはＡＭＰ＿Ｅｎａｂｌｅ信号をＨ値にしてアナログアンプ１８を動作させる。また、制御信号出力部１２は、非走査期間においては、ＡＭＰ＿Ｅｎａｂｌｅ信号をＬ値にしてアナログアンプ１８を休止させる。
【００４３】
＜信号波形＞
表示パネル２を駆動する際の各種信号の波形について、図１を参照して説明する。図１は、本発明の一実施形態に係る表示装置１の表示パネル２を駆動する際の各種信号波形を示す図である。
【００４４】
図１の上段には、タイミングコントローラ１０およびメモリ１６へ入力される入力信号について示している。例えば、タイミングコントローラ１０には、入力映像同期信号として、垂直同期信号（Ｖｓｙｎｃ）および水平同期信号（Ｈｓｙｎｃ）が入力される。また、タイミングコントローラ１０への入力映像同期信号の入力と共に、メモリ１６には、入力映像信号が入力される。入力映像信号の１フレーム分の画像データ転送期間は、Ｈｓｙｎｃに規定される１垂直期間に相当する。
【００４５】
また、図１の下段には、タイミングコントローラ１０およびメモリ１６が出力する出力信号について示している。
【００４６】
例えば、タイミングコントローラ１０は、入力された入力映像同期信号に基づき、各回路が同期して動作するための基準となる映像同期信号として、水平同期制御信号および垂直同期制御信号を生成する。ここで、タイミングコントローラ１０は、入力されたＶｓｙｎｃと同じ周期の垂直同期制御信号を生成し、入力されたＨｓｙｎｃの周期よりも短い周期の水平同期制御信号を生成する。図１では、生成される水平同期制御信号の周期は、Ｈｓｙｎｃの周期の１／３に相当する。タイミングコントローラ１０は、生成した水平同期制御信号および垂直同期制御信号を、画像同期信号として、走査線駆動回路４、信号線駆動回路６、およびメモリ１６に出力する。
【００４７】
ここで、水平同期制御信号の周期は短いため、１垂直期間内において、当該１垂直期間よりも短い期間（走査期間）に１フレーム分の走査が行われる。なお、水平同期制御信号の周期は例示したものに限られない。例えば、水平同期制御信号の周期は、Ｈｓｙｎｃの整数分の１（周波数が整数倍）であることが好ましい。
【００４８】
メモリ１６は、記録している入力映像信号に基づき、入力された垂直同期制御信号および水平同期制御信号に従って映像信号を出力する。映像信号の１フレーム分の画像データ転送期間は、走査期間に相当する。
【００４９】
制御信号出力部１２は、生成された垂直同期制御信号および水平同期制御信号に同期して、ＡＭＰ＿Ｅｎａｂｌｅ信号を出力する。
【００５０】
また、信号線駆動回路６は、ＡＭＰ＿Ｅｎａｂｌｅ信号がＨ値を維持する間、データ信号線Ｓへデータ信号の供給を行う。
【００５１】
＜表示パネル２の駆動＞
以下、上述の各種信号によって制御される表示パネル２の駆動について、さらに図１を参照して説明する。
【００５２】
表示装置１では、垂直同期制御信号が１垂直期間ごとに入力される。まず、制御信号出力部１２が、垂直同期制御信号に同期して、ＡＭＰ＿Ｅｎａｂｌｅ信号の電圧をＬ値からＨ値に変化させる。これにより、信号線駆動回路６が備えるアナログアンプ１８が、非動作状態から動作状態（通常状態）へと切り替わる。
【００５３】
次に、走査線駆動回路４は、垂直同期制御信号および水平同期制御信号に同期して、１本目の走査信号線Ｇに走査信号を出力する。これによって、走査信号線Ｇ（１）に接続された画素のＴＦＴのゲートがオン状態になる。
【００５４】
次に、信号線駆動回路６は、水平同期制御信号に同期して、データ信号線Ｓごとに、当該データ信号線Ｓに接続されたアナログアンプ１８からデータ信号を出力する。これにより、表示に必要な電圧が各データ信号線Ｓに供給され、ＴＦＴを通じて走査信号線Ｇ（１）上の画素電極に書き込まれる。当該書き込みの終了後、走査信号線Ｇ（１）に接続された画素のＴＦＴのゲートがオン状態からオフ状態に戻る。
【００５５】
最初の１水平期間が経過したら、次の垂直同期制御信号が入力される。２本目以降の走査信号線Ｇに接続された画素は、１本目の走査信号線Ｇに接続された画素と同様の手順によって書き込みが行われる。このようにして、Ｎ本全ての走査信号線Ｇの画素に書き込みが行われる期間を書き込み期間と称する。当該書き込み期間は走査期間と同じ期間を示す。
【００５６】
ＡＭＰ＿Ｅｎａｂｌｅ信号は、上記書き込み期間の間、Ｈ値を維持している。
【００５７】
最初の１垂直期間において、上記書き込み期間（走査期間）が経過した後、制御信号出力部１２は、ＡＭＰ＿Ｅｎａｂｌｅ信号をＨ値からＬ値に変化させる。この結果、アナログアンプ１８が非動作状態になる。
【００５８】
最初の１垂直期間が経過したら、次の垂直同期制御信号が入力され、２フレーム目以降の駆動についても、上述と同様の手順によって行われる。
【００５９】
なお、アナログアンプ１８が非動作状態の間、アナログアンプ１８の出力とデータ信号線Ｓ（ｉ）との接続が切られる。詳しくは後述するが、データ信号線Ｓ（ｉ）は電気的に浮いた状態にしてもよく、Ｖｄｄ等に接続させた状態にしてもよい。
【００６０】
＜作用効果＞
以上の構成によれば、非走査期間の間、アナログアンプ１８の定常電流がカットされている。結果、平均消費電流は図３の（ｂ）の矢印Ｐ１に示す値となり、この値は従来の表示装置における平均消費電流（図９の（ｂ）の矢印Ｐ２）に比べて著しく小さい。また、１走査期間内に休止期間をまとめて設けているため、走査状態と休止状態とを切り替える際に瞬間に流れる電流についても極力省くことができる。したがって表示装置１では、従来の表示装置に比べて消費電力を低減する効果を奏する。
【００６１】
次に、従来の表示装置を比較例１とし、上記特許文献１の表示装置を比較例２として用い、本実施形態の効果をより詳細に説明する。各例において、走査信号線ＧはＮ本とする。
【００６２】
図４は、垂直同期制御信号、水平同期制御信号、および走査信号の各種信号波形を示す図であり、図４の（ａ）は本実施形態を示し、図４の（ｂ）は比較例１を示し、また図４の（ｃ）は比較例２を示す。
【００６３】
比較例１では、図４の（ｂ）に示すように、走査期間が１垂直期間に相当する。このため、比較例１では、信号線駆動回路が常時電力を消費し続けなくてはならない。
【００６４】
比較例２では、図４の（ｃ）に示すように、走査期間が比較例１の走査期間と同じ時間であるが、走査期間後に当該走査期間よりも長い時間の休止期間が設けられている。このため、比較例２では、１垂直期間が、比較例１の１垂直期間の数倍に相当する。すなわち、単位時間あたりの走査期間の頻度が減っているため、動画を滑らかに表示することが難しい。
【００６５】
本実施形態では、図４の（ａ）に示すように、１垂直期間は比較例１の１垂直期間と同じである。しかし、本実施形態では、１水平期間が比較例１および比較例２よりも短いため（図４では比較例１および２の１／２に相当する）、本実施形態に係る走査期間は比較例１および比較例２よりも短い。すなわち、表示装置１は、１垂直期間よりも短い期間に、全ての画素に対する走査を終える。
【００６６】
したがって、図４の（ａ）〜図４の（ｂ）を参照すると、本実施形態は、単位時間あたりの走査期間の頻度を従来よりも少なくすることなく、１垂直期間内に十分な休止期間（非走査期間）を設けることができることが分かる。この休止期間中に、上述する消費電力の低減を行うことができる。
【００６７】
なお、本実施形態において、１水平期間、すなわち、ある走査信号線Ｇにおける各画素にデータ信号線Ｓ（１）〜Ｓ（Ｍ）が電荷を書き込む時間は、従来（比較例１および比較例２）の時間よりも短い。しかしながら、近年開発されている、能力を大幅に向上されたシリコンからなるＴＦＴを用いれば、上述のような短い１水平期間においても、画素に対して表示に必要な電荷を十分に書き込むことが可能である。
【００６８】
このようなＴＦＴとして、例えば、インジウム、ガリウム、および酸化亜鉛を組み合わせて半導体層を構成するＴＦＴ（例えば特開２０１０−９８３０５公報参照）などが挙げられる。
【００６９】
（４．従来の表示装置における輝度分布）
次に、従来の表示装置における輝度分布の問題について図１０を参照して説明する。図１０は、ノーマリブラックの表示パネル１０２における輝度分布を説明するための図である。
【００７０】
液晶表示装置は、画素電極とデータ信号線Ｓ間に寄生容量を有しており、フレーム反転駆動の際、この寄生容量の影響によって表示パネルには面内輝度分布が生じてしまう。
【００７１】
面内輝度分布が生じる理由については、あるフレーム(正極性書き込み)及びその次のフレーム(負極性書き込み)におけるデータ信号線Ｓの電圧と、当該フレームにおいて最初に走査を行う最上段の画素のドレイン電圧と、当該フレームにおいて最後に走査を行う最下段の画素のドレイン電圧との関係を考えることで理解できる。例えば全画面で同じ階調を表示することを想定した上で、以下に具体的に説明する。
【００７２】
あるフレームの１垂直期間の最初に、最上段の走査信号線Ｇ１が走査され、そのデータ信号線Ｇ１に繋がるＴＦＴがＯＮになり、ドレイン電極にデータ信号線Ｓからの所定の電圧値(正極)が印加される。フレーム反転駆動であるため、同じフレーム内では同じ電圧がデータ信号線Ｓに出力され続ける。この後、次のフレームにおいては極性反転を行い、データ信号線Ｓには所定の電圧値(負極)が出力された状態で、再度走査信号線Ｇ１を走査する。よって、走査信号線Ｇ１にとっては、走査完了後ほぼ１垂直期間の間、データ信号線Ｓの電圧は変動しない。
【００７３】
また、あるフレームの１垂直期間の最後に、最下段の走査信号線Ｇｎが走査され、その走査信号線Ｇｎに繋がるＴＦＴがＯＮなり、ドレイン電極にデータ信号線Ｓからの所定の電圧値(正極)が印加される。この後、直ぐに次のフレームに切り替わり、この次のフレームにおいては極性反転を行い、データ信号線Ｓには所定の電圧値(負極)が出力される。よって、走査信号線Ｇｎにとっては、あるフレームにおける走査の後直ぐにデータ信号線Ｓの電圧が逆極性へと変動するため、これに伴い寄生容量によるドレイン電圧の変動が生じる。このようにドレイン電圧が変動した状態(所定の正極電圧と異なった状態)が１垂直期間保持される。
【００７４】
このメカニズムにより、最上段と最下段では、走査後の保持期間において、ドレイン電圧が異なってしまう。また、このメカニズムによる現象は、最上段と最下段に限らず、ある走査信号線Ｇを走査後、データ信号線Ｓへの印加電圧が極性反転するまでの時間に応じて生じる現象である。
【００７５】
したがって、従来の表示装置では、図１０に示すように、画面の上部から下部にかけて輝度傾斜が生じることとなる。
【００７６】
（５．表示装置１における輝度分布）
表示装置１においても、共通電極駆動回路８は、極性反転信号に従って、１垂直期間毎にデータ信号線Ｓの極性を反転するフレーム反転駆動を行っているものとする。
【００７７】
ここで、表示装置１では、上述したように、１垂直期間よりも短い期間に１フレーム分の走査を完了させることができる。このため、フレーム反転の際、当該フレーム走査完了後に極性反転を行うまでの期間が最上段から最下段まであまり変わらなくなるため、表示パネル２に輝度分布が発生することを低減できる。
【００７８】
なお、隣り合うデータ信号線Ｓ毎に、印加される極性が反対の極性となる、列反転駆動を行うことがより好ましい。具体的には、あるフレームにおいて、偶数番目のデータ信号線Ｓには正極性の電圧を印加し、奇数番目のデータ信号線Ｓには負極性の電圧を印加する。次のフレームでは、それぞれ逆の極性の電圧を印加する。こうすることで、正負極性の切替えにおけるチラツキを空間的に相殺させることができるため、表示パネル２におけるフリッカの発生を低減させることができる。
【００７９】
（その他構成）
＜階調アンプを備える場合＞
本発明では、アナログアンプ１８の数と、データ信号線Ｓの数とは必ずしも同一である必要はない。たとえばアナログアンプ１８を階調毎に構成する方式にすると、その数をデータ信号線Ｓの数よりも少なくできる。例えば、表示パネル２の駆動時には、選択された走査信号線Ｇ上の画素に接続されたデータ信号線Ｓ（ｉ）を、当該画素が表示する階調に応じた電圧を出力するアナログアンプ１８に接続させることができる。
【００８０】
この場合においても、上述した駆動方法を実行できるため、非走査期間における定常電流を削減でき、結果、消費電力を低減できる。
【００８１】
＜非走査期間におけるデータ信号線の接続先＞
非走査期間において、データ信号線Ｓ（ｉ）の接続先は不定であってもよく、または任意の電源であってもよい。
【００８２】
例えば、非走査期間においてデータ信号線Ｓ（ｉ）が電気的に浮いている状態であってもよい。この場合、非走査期間（ＡＭＰ＿Ｅｎａｂｌｅ信号がＬ値になっている期間）において、アナログアンプ１８とデータ信号線Ｓ（ｉ）との接続は切れており、データ信号線Ｓ（ｉ）の接続先は不定である。
【００８３】
また、非走査期間においてデータ信号線Ｓ（ｉ）が共通のＶｄｄに接続されていてもよい。この場合、非走査期間において、アナログアンプ１８とデータ信号線Ｓ（ｉ）との接続は切れており、かつ、いずれのデータ信号線Ｓ（ｉ）も、共通の電圧力源（Ｖｄｄ）に接続されている。これにより、データ信号線Ｓ（ｉ）に出力された電圧は、走査期間の終了後、すなわちＡＭＰ＿Ｅｎａｂｌｅ信号がＨ値からＬ値に変化した後、ピークの値から一定値だけ減少し、その値を安定して保つ。結果、非走査期間において、データ信号線Ｓに出力された電圧が安定するので、安定した表示を維持することができる。
【００８４】
なお、非走査期間におけるデータ信号線Ｓ（ｉ）の接続先は、任意の電圧源（Ｖｄｄ）に限らず、グラウンド（ＧＮＤ）または共通のノードであってもよい。いずれの場合も、非走査期間における、データ信号線Ｓに出力された電圧を安定化できる効果が得られる。
【００８５】
＜タイミングをずらす例＞
表示装置１では、アナログアンプ１８を非動作状態から動作状態に復帰させた場合、アナログアンプ１８の正常な動作が可能となるまでに、ある程度の時間が必要になる。そのため、アナログアンプ１８を復帰させるタイミングと、次の走査期間を開始するタイミングとを同じにした場合、アナログアンプ１８からデータ信号線Ｓに出力する信号の状態が安定しなくなってしまう。これにより、本来は意図しない電圧を画素に印加してしまう可能性が生じる。
【００８６】
そこで、表示装置１では、アナログアンプ１８を非動作状態から動作状態に復帰させるタイミングを、次の走査期間を開始するタイミングよりも早めに設定することが好ましい。これにより、アナログアンプ１８が非動作状態から復帰して安定するまでの時間が経過した後に、次の走査期間が開始される。結果、正常な電圧を画素に印加できる。
【００８７】
（付記事項）
非走査期間においては、信号線駆動回路６内の全てのアナログアンプ１８のうち、少なくとも１つを休止させれば、動画表示を可能にしつつ、消費電力を削減できる効果が得られる。全てのアナログアンプ１８を動作させれば、消費電力を最も多く削減できるので望ましい。
【００８８】
非走査期間の開始時点は、１フレーム分の走査が終了した直後に限らず、終了時点の少しあとでもよい。一方、非走査期間の終了時点は、１垂直期間が終了する時点に限らず、その少し前でも限らない。すなわち、走査期間が終了した時点から１垂直期間が終了する時点までの間における任意の長さの期間が、非走査期間となりうる。
【００８９】
非走査期間においては動作休止の対象とするのは、アナログアンプ１８に限られない。すなわち、アナログアンプ１８を含む、定常電流が流れる何らかの回路群（素子群）の能力を低下させてもよい。このような回路群の例として、たとえば階調毎の電圧を決定するＤＡＣ（Digital-Analogue-Converter）回路部、およびＶｄｄ生成回路部がある。
【００９０】
表示装置１では、上述のように非走査期間にアナログアンプ１８の能力（駆動能力）を低下させることによって低消費電力化を図ることができる。しかし、アナログアンプ１８は完全に休止（Ｏｆｆ）させることによって、低消費電力化の効果を最も高くすることが可能である。従って表示装置１では、非走査期間において「アナログアンプ１８の駆動能力を低下させる」代わりに「アナログアンプ１８を休止させる」ことによっても、本発明の効果を奏することができる。なお、アナログアンプ１８の能力を最も低下させた状態が、アナログアンプ１８を休止させた状態に相当する。
【００９１】
〔実施形態２〕
本発明の第２の実施形態について、図５に基づいて説明すると以下の通りである。図５は、第２の実施形態に係る表示装置３０の回路構成を示す図である。なお、図５において、表示パネル２の図示は省略されている。
【００９２】
上述した実施形態１に対する本実施形態の主な相違点は、表示装置３０が、発振回路２０、Ｈカウンタ２１およびＶカウンタ２２をさらに備えており、メモリ１６に予め格納された映像信号を信号線駆動回路６に出力する制御を行う点にある。
【００９３】
したがって、以下では、上記相違点を中心に説明する。なお、実施形態１における構成要素と対応する機能を有する構成要素には、同一符号を用いることとする。
【００９４】
発振回路２０は、ドットクロック（クロック信号）を発振する回路である。発振回路２０から発振されたドットクロックは、タイミングコントローラ１０およびＨカウンタ２１に供給される。
【００９５】
Ｈカウンタ２１は、供給されたドットクロックに基づいてＨｓｙｎｃを生成し、タイミングコントローラ１０およびＶカウンタ２２に供給する。Ｖカウンタ２２は、供給されたＨｓｙｎｃからＶｓｙｎｃを生成し、タイミングコントローラ１０に供給する。
【００９６】
タイミングコントローラ１０は、供給されたドットクロック、Ｖｓｙｎｃ、およびＨｓｙｎｃに基づいて、水平同期制御信号（ＧＣＫなど）および垂直同期制御信号（ＧＳＰなど）を映像同期信号として生成し、走査線駆動回路４、信号線駆動回路６、およびメモリ１６に出力する。
【００９７】
本実施形態において、メモリ１６は、信号線駆動回路６に転送する映像信号を予め格納している。メモリ１６は、タイミングコントローラ１０から受け取った映像同期信号に従って、メモリ１６に格納された映像信号をフレーム単位で信号線駆動回路６に転送することができる。
【００９８】
上記構成によれば、表示装置３０に入力映像同期信号および入力画像データが入力されていない場合であっても、表示装置３０は１垂直期間内に非走査期間を設けて映像表示を行うことができる。
【００９９】
また、本実施形態に係る表示装置３０では、発振回路２０、Ｈカウンタ２１およびＶカウンタ２２が消費する電力を必要するが、表示のたびにメモリ１６に入力画像データを書き込む必要がなくなるため、当該書き込みのための消費電力が削減される。また、実施形態１において表示装置１に入力映像同期信号および入力画像データを入力するためのセット側が消費していた分の電力は、本実施形態において削減される。したがって、本実施形態に係る表示装置３０を搭載した電子機器全体では、低消費電力化が実現される。
【０１００】
（表示装置３０の動作）
本実施形態に係る表示装置３０では、上述した輝度分布の発生を防止するために、Ｖカウンタ２２が生成するＶｓｙｎｃの周波数を６０Ｈｚよりも高い周波数にすることがより好ましい。
【０１０１】
具体的には、表示装置３０に入力映像同期信号および入力画像データが入力されていない場合、発振回路２０は、Ｖカウンタ２２が生成するＶｓｙｎｃの周波数を６０Ｈｚよりも高い周波数になるように、ドットクロックを発振することが好ましい。これによって、このＶｓｙｎｃと同じように、６０Ｈｚよりも高い周波数の垂直同期制御信号が生成され、表示装置３０では、データ信号線Ｓの極性反転が６０Ｈｚよりも高い周期で行われる。
【０１０２】
ここで、表示装置３０では、実施形態１と同様に、１垂直期間の前半部分において１フレームの走査を完了させる。
【０１０３】
上記構成によれば、フレーム反転の際、極性反転周波数が早くなるためフリッカをより低減させることができる。
【０１０４】
〔実施形態３〕
本発明の第３の実施形態について、図６および図７に基づいて説明すると以下の通りである。
【０１０５】
（１．表示装置４０の構成）
図６は、実施形態３に係る表示装置４０の概略的な構成を示す図である。
【０１０６】
上述した実施形態１に対する本実施形態の主な相違点は、表示装置４０が、タッチパネル２４およびタッチパネル制御回路２６をさらに備えたタッチパネル一体型の表示装置である点にある。
【０１０７】
したがって、以下では、上記相違点を中心に説明する。なお、実施形態１における構成要素と対応する機能を有する構成要素には、同一符号を用いることとする。
【０１０８】
タッチパネル２４は、表示パネル２に対向して配置され、表示パネル２の表示面へのタッチ入力（指や専用ペンなどによって表示面内のある位置に触れること）を受け付けるパネルである。タッチパネル２４は、表示面へのタッチ入力がなされると、その位置に応じた信号（入力信号）を生成し、その信号をタッチパネル制御回路２６へ送る。タッチパネル２４は、静電容量方式タッチパネルであってもよいし、電磁誘導方式タッチパネルであってもよい。なお、タッチパネル２４は周知のものを用いることができるため、ここではその具体的構成に関する説明を省略する。
【０１０９】
タッチパネル制御回路２６は、タッチパネル２４とともにタッチ入力検出部（タッチ入力検出手段）を構成する回路である。タッチパネル制御回路２６は、タッチ入力がなされることによりタッチパネル２４から送られてくる入力信号を検出し、検出した入力信号に基づいて、表示パネル２内でのタッチ入力の位置（座標）を示す座標データを生成し、さらに、この座標データをタイミングコントローラ１０へ送る。
【０１１０】
本実施形態において、タイミングコントローラ１０は、タッチパネル制御回路２６から送られてくる座標データに基づいて、タッチ入力により指示された操作内容等を認識し、その認識結果によって他の部材や装置等を制御する機能をさらに有してもよい。
【０１１１】
（２．従来の表示装置におけるタッチ入力検出のノイズ）
次に、従来の表示装置におけるタッチ入力検出の問題について説明する。
【０１１２】
一般に、タッチパネル入力装置として機能する表示装置を駆動する際、表示パネルの駆動によるノイズにより、タッチパネルのタッチ位置検出精度が悪化してしまうという問題が存在する。従来の液晶表示装置では、上記ノイズを防止するための回路の追加や、表示パネルとタッチパネルとの距離をあけること等の対策を行っている。しかしながら、このような対策にはコストがかかったり、装置の小型化の弊害になったりしてしまう。
【０１１３】
具体的には、タッチパネルが静電容量方式タッチパネルである場合、タッチパネルのＩＴＯと、共通電極（ＣＯＭ）との間に容量を形成してしまう。このため、タッチ位置検出には、ＣＯＭ信号の電位レベルの変動に応じてノイズが載りやすい。
【０１１４】
また、タッチパネルが電磁誘導方式タッチパネルである場合、表示パネルの表面側で専用ペンが動いた際の電界・磁界の変化を、タッチパネルで読み取っている。しかし、表示パネルが極性反転などにより、常に電界・磁界を変動させていると、専用ペンとタッチパネルとの間にノイズが載ることになる。
【０１１５】
（３．表示装置４０におけるタッチ入力検出）
本実施形態の表示装置４０は、表示パネル２の駆動によるノイズの影響を受けることなく、タッチパネル２４へのタッチ入力を精度よく検出することができる。この点について以下に説明する。
【０１１６】
本実施形態において、タッチパネル制御回路２６は、タイミングコントローラ１０からＴＰ＿Ｅｎａｂｌｅ信号の入力を受けるためのＴＰ＿Ｅｎａｂｌｅ信号線をさらに備えている。この信号線は、タイミングコントローラ１０の制御信号出力部１２に接続されている。
【０１１７】
タイミングコントローラ１０の制御信号出力部（検出制御手段）１２は、ＴＰ＿Ｅｎａｂｌｅ信号を一定のタイミングでタッチパネル制御回路２６に出力する。ＴＰ＿Ｅｎａｂｌｅ信号は、タッチパネル制御回路２６がタッチパネル２４からの入力信号を検出する検出状態を規定するための制御信号である。
【０１１８】
具体的には、図７に示すように、制御信号出力部１２は、ＡＭＰ＿Ｅｎａｂｌｅ信号の電圧をＬ値（低い値）にするタイミングに合わせて、ＴＰ＿Ｅｎａｂｌｅ信号の電圧をＨ値（高値）にする。その後、次にＡＭＰ＿Ｅｎａｂｌｅ信号の電圧がＨ値になるタイミングに合わせて、当該ＴＰ＿Ｅｎａｂｌｅ信号の電圧をＬ値にする。
【０１１９】
タッチパネル制御回路２６は、ＴＰ＿Ｅｎａｂｌｅ信号がＨ値のときには動作し、Ｌ値のときには休止する。
【０１２０】
上記駆動によれば、図７に示すように、タッチパネル制御回路２６は、非走査期間に、タッチパネル２４からの入力信号の検出を行うように制御される。非走査期間には、表示装置１の主要な回路は停止しているため、表示パネル２からの駆動ノイズを受けることなく、当該検出が可能である。これによって、座標データの精度が悪化することを防止できる。
【０１２１】
（変形例）
本発明は、表示装置４０がタッチパネル２４及びタッチパネル制御回路２６を含んで構成されることに限定されない。例えば、図８に示すように、本発明は、表示装置４０ａと、タッチ入力検出装置５０（タッチパネル２４及びタッチパネル制御回路２６）とをそれぞれ備える表示システム１００（例えば情報入力装置等）として実現されてもよい。
【０１２２】
図８に示す例では、システム側コントローラー２８が、表示装置４０ａと、タッチ入力検出装置５０との仲介を行う。具体的には、表示装置４０ａの制御信号出力部１２が出力したＴＰ＿Ｅｎａｂｌｅ信号をシステム側コントローラー２８が受け取って、タッチ入力検出装置５０のタッチパネル制御回路２６を制御する。タッチパネル制御回路２６は、非走査期間に、タッチパネル２４からの入力信号の検出を行うように制御される。
【０１２３】
また、システム側コントローラー２８は、タッチパネル制御回路２６から出力された座標データを受信し、当該座標データに基づいて、タッチ入力により指示された操作内容等を認識し、その認識結果によって他の部材や装置等を制御する。
【０１２４】
本例においても、図７に示す実施形態と同様に、表示パネル２からの駆動ノイズを受けることなく入力信号を検出でき、座標データの精度が悪化することを防止できる。
【０１２５】
また、本発明に係る表示装置において、上記能力制御手段は、上記１垂直期間において、上記信号線駆動回路が、上記垂直同期制御信号に従って、上記複数の走査信号線上における全ての画素にデータ信号を供給した後、上記出力回路を休止させることが好ましい。
【０１２６】
上記構成によれば、消費電力をより一層低減できる。
【０１２７】
また、本発明に係る表示装置において、上記水平同期制御信号の周期は、上記水平同期信号の周期の整数分の１であることが好ましい。
【０１２８】
上記構成によれば、簡易な回路構成で、短い周期の水平同期制御信号を生成することが可能となる。
【０１２９】
また、本発明に係る表示装置は、入力された映像信号を記録する記録手段をさらに備え、上記記録手段は、上記水平同期制御信号に従って、記録した映像信号を上記信号線駆動回路に出力することが好ましい。
【０１３０】
上記構成によれば、信号線駆動回路に対して、映像信号を水平同期制御信号にタイミングを合わせて好適に入力することができる。
【０１３１】
また、本発明に係る表示装置は、クロック信号を生成する発振回路と、上記クロック信号に基づいて、上記水平同期信号および上記垂直同期信号を生成し、上記同期信号出力手段に出力するカウンタとをさらに備えていることが好ましい。
【０１３２】
上記構成によれば、外部からの映像入力がない場合であっても、上記発振回路により生成したクロック信号を基に、水平同期信号および垂直同期信号が生成される。結果、水平同期制御信号および垂直同期制御信号が生成され、記録手段に記録された映像データを表示させることができる。すなわち、フリッカを発生させることなく記録動画を表示でき、なおかつ消費電力を低減できる効果を奏する。
【０１３３】
また、本発明に係る表示装置において、上記１垂直期間毎に上記複数のデータ信号線の極性を反転する極性反転手段をさらに備えていることが好ましい。
【０１３４】
上記構成によれば、１垂直期間の前半部分で走査が終了するため、フレーム反転駆動による画面に輝度分布を生じさせることなく、低消費電力化を実現できる。
【０１３５】
また、本発明に係る表示装置において、上記極性反転手段は、互いに隣り合った上記データ信号線の極性を逆極性にする機能をさらに有していることが好ましい。
【０１３６】
上記構成によれば、ソース反転駆動が行われるため、フリッカの発生をより低減させることができる。
【０１３７】
また、本発明に係る表示装置は、上記表示パネルの表示面へのタッチ入力を検出するタッチ入力検出手段と、上記タッチ入力検出手段による検出動作を、上記１垂直期間において上記出力回路の能力が低下している間に行わせる検出制御手段とをさらに備えていることが好ましい。
【０１３８】
上記構成によれば、タッチ入力検出手段は、能力制御手段に制御され、タッチ入力の座標データの検出を非走査期間に行う。非走査期間において、表示装置の主要な回路類は停止している。したがって、タッチ入力検出手段は、表示パネルの駆動ノイズを受けることなく検出が可能となり、検出精度の悪化が防止される。
【０１３９】
また、本発明に係る表示装置において、上記タッチ入力検出手段は、静電容量方式タッチパネルまたは電磁誘導方式タッチパネルを備えていることが好ましい。
【０１４０】
上記構成によれば、検出精度の悪化を防止する効果がより効果的に現れた表示装置を実現できる。
【０１４１】
また、本発明に係る表示システムは、上述した表示装置と、上記表示パネルの表示面へのタッチ入力を検出するタッチ入力検出装置と、上記タッチ入力検出装置による検出動作を、上記１垂直期間において上記出力回路の能力が低下している間に行わせる検出制御手段とを備えていることを特徴としている。
【０１４２】
上記構成によれば、タッチ入力検出装置は、能力制御手段により制御されて、タッチ入力の座標データの検出を非走査期間に行う。非走査期間において表示装置の主要な回路類は停止している。したがって、タッチ入力検出装置は、表示パネルの駆動ノイズを受けることなく検出が可能となり、検出精度の悪化が防止される。
【０１４３】
本発明は上述した各実施形態に限定されるものではなく、請求項に示した範囲で種々の変更が可能である。すなわち、異なる実施形態にそれぞれ開示された技術的手段を適宜組み合わせて得られる実施形態についても、本発明の技術的範囲に含まれる。
【０１４４】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１４５】
本発明に係る表示装置は、液晶表示装置、有機ＥＬ表示装置、および電子ペーパーなどの各種の表示装置として広く利用できる。
【符号の説明】
【０１４６】
１、３０、４０  表示装置
２  表示パネル
４  走査線駆動回路
６  信号線駆動回路
８  共通電極駆動回路
１０  タイミングコントローラ（同期信号出力手段、極性反転手段）
１２  制御信号出力部（能力制御手段、検出制御手段）
１４  電源生成回路
１６  メモリ（記録手段）
１８  アナログアンプ（出力回路）
２０  発振回路
２１  Ｈカウンタ（カウンタ）
２２  Ｖカウンタ（カウンタ）
２４  タッチパネル（タッチ入力検出手段）
２６  タッチパネル制御回路（タッチ入力検出手段）
２８  システム側コントローラー
５０  タッチ入力検出装置
１００  表示システム
Ｇ  走査信号線
Ｓ  データ信号線
【図１】
2011145360.tif 000003
【図２】
2011145360.tif 000004
【図３】
2011145360.tif 000005
【図４】
2011145360.tif 000006
【図５】
2011145360.tif 000007
【図６】
2011145360.tif 000008
【図７】
2011145360.tif 000009
【図８】
2011145360.tif 000010
【図９】
2011145360.tif 000011
【図１０】
2011145360.tif 000012
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
マトリクス状に配置された画素からなる画面に表示を行う表示装置であって、
複数の走査信号線を線順次に選択する走査線駆動回路と、
電流が流れる出力回路が設けられ、選択された走査信号線上の画素に、当該出力回路および複数のデータ信号線を介して、データ信号を順次供給する信号線駆動回路と、
入力された水平同期信号に基づいて、当該水平同期信号の周期よりも短い周期の水平同期制御信号を出力し、かつ、入力された垂直同期信号に基づいて垂直同期制御信号を出力する同期信号出力手段と、
上記信号線駆動回路が、上記水平同期制御信号に従って、上記複数の走査信号線上における全ての画素にデータ信号を供給した後、上記出力回路の能力を低下させる能力制御手段と、を備え、
上記垂直同期制御信号により規定される１垂直期間内において、上記信号線駆動回路によるデータ信号の供給と、上記能力制御手段による上記出力回路の能力の低下とが行われる
ことを特徴とする表示装置。
【請求項２】
上記能力制御手段は、上記１垂直期間において、上記信号線駆動回路が、上記垂直同期制御信号に従って、上記複数の走査信号線上における全ての画素にデータ信号を供給した後、上記出力回路を休止させること
を特徴とする請求項１に記載の表示装置。
【請求項３】
上記水平同期制御信号の周期は、上記水平同期信号の周期の整数分の１である
ことを特徴とする請求項１または２に記載の表示装置。
【請求項４】
入力された映像信号を記録する記録手段をさらに備え、
上記記録手段は、上記水平同期制御信号に従って、記録した映像信号を上記信号線駆動回路に出力する
ことを特徴とする請求項１から３のいずれか１項に記載の表示装置。
【請求項５】
クロック信号を生成する発振回路と、
上記クロック信号に基づいて、上記水平同期信号および上記垂直同期信号を生成し、上記同期信号出力手段に出力するカウンタとをさらに備えている
ことを特徴とする請求項４に記載の表示装置。
【請求項６】
上記１垂直期間毎に上記複数のデータ信号線の極性を反転する極性反転手段をさらに備える
ことを特徴とする請求項１から５のいずれか１項に記載の表示装置。
【請求項７】
上記極性反転手段は、互いに隣り合った上記データ信号線の極性を逆極性にする機能をさらに有している
ことを特徴とする請求項６に記載の表示装置。
【請求項８】
上記画面へのタッチ入力を検出するタッチ入力検出手段と、
上記タッチ入力検出手段による検出動作を、上記１垂直期間において上記出力回路の能力が低下している間に行わせる検出制御手段とをさらに備える
ことを特徴とする請求項１から７のいずれか１項に記載の表示装置。
【請求項９】
上記タッチ入力検出手段は、静電容量方式タッチパネルまたは電磁誘導方式タッチパネルを備えていることを特徴とする請求項８に記載の表示装置。
【請求項１０】
請求項１から７のいずれか１項に記載の表示装置と、
上記画面へのタッチ入力を検出するタッチ入力検出装置と、
上記タッチ入力検出装置による検出動作を、上記１垂直期間において上記出力回路の能力が低下している間に行わせる検出制御手段とを備える
ことを特徴とする表示システム。
【請求項１１】
複数の走査信号線を線順次に選択する走査線駆動回路と、
電流が流れる出力回路が設けられ、選択された走査信号線上の画素に、当該出力回路および複数のデータ信号線を介してデータ信号を順次供給する信号線駆動回路とを備える表示装置の駆動方法であって、
入力された水平同期信号に基づいて、当該水平同期信号の周期よりも短い周期の水平同期制御信号を出力し、かつ、入力された垂直同期信号に基づいて垂直同期制御信号を出力する同期信号出力工程と、
上記垂直同期制御信号により規定される１垂直期間内において、上記信号線駆動回路が、上記水平同期制御信号に従って、上記複数の走査信号線上における全ての画素にデータ信号を供給する走査工程と、
上記走査工程が終了した後、上記出力回路の能力を低下させる能力制御工程と、を含み、
上記１垂直期間内において、上記走査工程と、上記能力制御工程とが行われる
ことを特徴とする表示装置の駆動方法。
【国際調査報告】
2011145360.tif 000013
2011145360.tif 000014
2011145360.tif 000015
2011145360.tif 000016